(57)【特許請求の範囲】
【請求項１】
基材に、目地基材と目地芯材とからなる目地材を貼り付ける工程、塗材を塗付する工程、該目地芯材を剥す工程からなる化粧工法において、目地材が、目地基板部表面に目地凸部が突設されたものであり、該目地凸部の上端部に嵌合凹部が形成され、該目地基板部の幅は、目地幅（嵌合凹部の上面の開口部の幅）に対して１１０％〜１０００％の幅である目地基材と、該目地基材の嵌合凹部に嵌合される目地芯材とからなり、嵌合凹部の断面が丸形であり、目地芯材の断面形状が円形状であり、目地幅が０．５〜５．０ｍｍであることを特徴する化粧工法。
【請求項２】
目地幅が１．０〜３．０ｍｍであることを特徴とする請求項１に記載の化粧工法。
【発明の詳細な説明】
【０００１】
【発明の属する技術分野】
本発明は、建築物の内外壁面、床面等において、目地を簡単にかつ美しく形成可能な、化粧工法に関するものである。
【０００２】
【従来の技術】
近年、美観性をほどこした壁面、床面等への関心が高まる中、天然石調、陶磁器タイル調、レンガ調等の美観性を施した化粧面が広く採用されている。
このような化粧方法として、例えば、目地棒、目地テープ、型枠等の目地材を壁面等に貼り付けた上から、合成樹脂エマルション等の結合材と着色材や骨材等を含有させた塗材を、吹付け、コテ塗りあるいはローラー塗り等により、化粧面等へ塗付した後、目地材または目地材の一部を剥離して、天然石調、陶磁器タイル調、レンガ調等の模様を施す方法がある。
このような方法では、天然石やタイル、レンガを一枚一枚貼着する場合に比べて、工期が大幅に短縮される上、コストも大幅に削減でき、しかも天然石、陶磁器タイル及びレンガとほぼ同等の美観性をかもし出すことができる。
この際、目地材の剥離工程の作業性を考慮し、従来の目地材の幅は、５ｍｍ以上の幅を持たせるのが一般的である。
【０００３】
【発明が解決しようとする課題】
しかしながら、目地の幅が５ｍｍ以上であると、場合によっては、目地部が目立ってしまい、化粧面の美観性を損ねてしまうことがあった。
【０００４】
【課題を解決するための手段】
本発明は、上記の問題点を解決するために、鋭意研究を重ねた結果、目地の幅が細くても、簡便に取り外すことができ、天然石調、陶磁器タイル調、レンガ調等の風合いをかもし出す美観性のある化粧面を形成することができる化粧工法を見出した。
【０００５】
即ち、本発明は以下の特徴を有するものである。
１．基材に、目地基材と目地芯材とからなる目地材を貼り付ける工程、塗材を塗付する工程、該目地芯材を剥す工程からなる化粧工法において、目地材が、目地基板部表面に目地凸部が突設されたものであり、該目地凸部の上端部に嵌合凹部が形成され、該目地基板部の幅は、目地幅（嵌合凹部の上面の開口部の幅）に対して１１０％〜１０００％の幅である目地基材と、該目地基材の嵌合凹部に嵌合される目地芯材とからなり、嵌合凹部の断面が丸形であり、目地芯材の断面形状が円形状であり、目地幅が０．５〜５．０ｍｍであることを特徴する化粧工法。
２．目地幅が１．０〜３．０ｍｍであることを特徴とする１．に記載の化粧工法。
【０００６】
【発明の実施の形態】
本発明の化粧工法は、基材に目地基材と目地芯材とからなる特定の目地材を貼り付ける工程、塗材を塗付する工程、該目地芯材を剥す工程を含むことを特徴とし、建築物内外装、土木構造物面に好適に使用することができる。
【０００７】
（基材）
本発明における基材としては、例えば、コンクリート、モルタル、サイディングボード、押出成形板、石膏ボード、パーライト板、合板、プラスチック板、金属板、木工板、ガラス、陶磁器タイル等の各種基材を使用することができる。またこれらの表面は、なんらかの表面処理が施されたものでもよく、既に塗膜が形成されたものや、壁紙が貼り付けられたものでもよい。
【０００８】
（目地材）
本発明における目地材（以下、本発明目地材ともいう。）は、上端部に嵌合凹部が形成された目地基材と、該目地基材の嵌合凹部に嵌合される目地芯材とからなり、嵌合凹部の断面が丸形であり、目地幅が０．５〜５．０ｍｍであることを特徴する。
【０００９】
図１〜６には、本発明目地材の一例を示す。なお、図１は本発明目地材の断面図、図２、図４、図５及び図６は本発明目地材の斜視図、図３は本発明目地材を構成する目地基材２と目地芯材３とを分離した状態の斜視図である。
【００１０】
図１に示すように、目地材１は、目地基材２上端部の嵌合凹部４に、目地芯材３が嵌合された目地材１であり、目地幅が０．５〜５．０ｍｍ、好ましくは１．０〜３．０ｍｍ、さらに好ましくは１．０〜１．５ｍｍである。なお、目地材１の場合、目地幅とは、図１に示す嵌合凹部４の上面の開口部の幅（Ａ）のことであり、最終的に仕上がった化粧面の目地の幅となるものである。目地幅がこの様な範囲であることにより、最終的に仕上がった時に、目地が目立たず、突き合わせ風の意匠性をかもし出す美観性のある化粧面を付与することができる。
【００１１】
また、目地材１の厚さ（Ｃ）は、特に限定されないが、０．５〜５．０ｍｍであることが好ましい。また、目地材１の長軸方向の長さは、使用用途により適宜設定することができるが、作業性を考慮し、０．５〜２ｍ程度とするのが好ましい。
【００１２】
目地基材２は、目地基板部５表面に目地凸部６が突設されたものであり、該目地凸部６の上端には、嵌合凹部４が形成されている。
【００１３】
目地基板部５の幅（Ｂ）は、特に限定されないが、目地幅（Ａ）に対して、１１０％〜１０００％、好ましくは２００％〜５００％の幅にすればよい。目地基板部５の幅（Ｂ）をこの様な範囲にすることにより、目地材を基材に貼りやすくなる。また、目地基板部５の厚さ（Ｄ）は、特に限定されないが、目地材の厚さ（Ｃ）に対して、１０％〜９０％の厚さにすればよい。
【００１４】
目地凸部６上端の嵌合凹部４には開口部が設けてあり、後述する目地芯材３を嵌め合わせて使用する。嵌合凹部４の断面は、丸形であれば特に限定されないが、例えば、円形、楕円形等の形状を有するものを挙げることができる。本発明における目地材は、嵌合凹部４が丸形であることから、目地幅が比較的細くても、取り外しやすく、作業性に優れている。
【００１５】
目地基材２の材質としては、特に限定されないが、例えば、フェノール樹脂、メラミン樹脂、ポリエステル樹脂、エポキシ樹脂、ポリウレタン、塩化ビニル樹脂、ＡＳ樹脂、ＡＢＳ樹脂、ポリエチレン、ポリプロピレン、ポリスチレン、ＥＶＡ（エチレン−酢酸ビニル共重合体）、ポリカーボネート等のプラスチック及びゴム等の成分を1種または２種以上を複合して用いることができる。
【００１６】
また、上記成分の他に、通常用いられる成分を含むこともできる。このような成分としては、例えば、着色剤、充填剤、可塑剤、紫外線吸収剤、酸化防止剤等が挙げられる。このような成分を、必要に応じ含むこともできるし、含まなくてもよい。
【００１７】
また、目地基材２は、着色したもの、半透明・透明のもの等、特に限定されず、適宜選択し、使用することができる。
着色した目地基材２を使用した場合、目地基材２、後述する塗材の色を共色にするなど色彩のバランスを考慮し適宜選択すれば、化粧面の目地がほとんど目立つことなく、自然な風合いをかもし出すことができ、美観性のある化粧面に仕上げることができる。また、目地基材２の色を強調したものにすれば、目地幅が細いので、さりげなく、アピールすることができ、美観性のある化粧面に仕上げることも可能である。
半透明・透明の目地基材２を使用した場合、基材及び後述する塗材の色を共色にするなど色彩のバランスを考慮し適宜選択すれば、化粧面の目地がほとんど目立つことなく、さりげなく、自然な風合いをかもし出すことができ、美観性のある化粧面に仕上げることができる。
【００１８】
目地芯材３は、目地基材２の嵌合凹部４と嵌合可能なものを使用することができる。目地芯材３の断面形状及び幅は該嵌合凹部４と嵌合するよう適宜設定すればよい。目地芯材３の材質は、特に限定されないが、例えば、目地基材２と同様のプラスチックやゴムの他、リード線、釣り糸、たこ糸、針金、ピアノ線、竹等を使用することができる。
【００１９】
本発明の目地芯材３を嵌合凹部４に嵌合する際、施工後目地芯材３を剥れ易くするために、離型剤等を塗付するなど何らかの処理を行うことができる。また、目地芯材３は再利用することも可能である。
【００２０】
目地基材２及び目地芯材３は、公知の方法で成形できる。成形方法としては、例えば、圧縮成形、トランスファ成形、積層成形、射出成形、押出成形、吸込成形等が挙げられる。
【００２１】
（塗材）
本発明で使用する塗材（以下、単に塗材ともいう。）としては、特に限定されず、例えば、ＪＩＳ  Ａ  ６９０９に規程される建築用仕上塗材及びこれらの類似材料、石材調塗材、調湿性仕上塗材、左官用の各種内外装用仕上塗材、各種塗り床材、天井材、舗装材等が挙げられる。特に、好ましい形態として、砂岩調、天然石調、自然石調、陶磁器タイル調、レンガ調模様等を形成できる塗材が挙げられる。この様な塗材としては、結合剤及び骨材を含有する塗材が好適に用いられる。
【００２２】
結合剤としては、水溶性樹脂、水分散性樹脂、溶剤可溶形樹脂、無溶剤形樹脂、非水分散形樹脂、粉末樹脂、セメント、石膏、シリカ等の各種結合剤、あるいはこれらを複合化した結合剤等を使用することができ、１液型、２液型、反応硬化型等特に限定することなく用いることができる。本発明では特に、水溶性樹脂及び／または水分散性樹脂が好適に用いられる。使用可能な樹脂の種類としては、例えば、セルロース、ポリビニルアルコール、エチレン樹脂、酢酸ビニル樹脂、ポリエステル樹脂、アルキッド樹脂、塩化ビニル樹脂、エポキシ樹脂、アクリル樹脂、ウレタン樹脂、シリコーン樹脂、フッ素樹脂等、あるいはこれらの複合系等を挙げることができる。このうち、アクリル樹脂、ウレタン樹脂、シリコーン樹脂、フッ素樹脂、あるいはこれらの複合系を使用すると、塗膜の耐候性を高めることができ、好適に用いられる。
【００２３】
骨材としては、自然石、自然石の粉砕物等の天然骨材、及び着色骨材等の人工骨材から選ばれる少なくとも一種以上が使用可能である。具体的には、例えば、大理石、御影石、蛇紋岩、花崗岩、蛍石、寒水石、長石、珪石、珪砂、及びこれらの粉砕物、陶磁器粉砕物、セラミック粉砕物、ガラス粉砕物、ガラスビーズ、樹脂粉砕物、樹脂ビーズ、金属粒、植物性粉粒体等や、それらの表面を着色コーティングしたもの等が挙げられる。骨材の粒径は、通常０．００１ｍｍ〜２．０ｍｍ、好ましくは０．０１〜１．０ｍｍである。
これら骨材は、結合剤の固形分１００重量部に対し、通常３０〜１２００重量部、好ましくは１００〜１０００重量部の比率で混合する。
【００２４】
本発明で使用する塗材においては、上述の成分の他に、通常塗材に使用可能な成分を含むこともできる。このような成分としては、例えば、着色顔料、体質顔料、繊維、増粘剤、造膜助剤、レベリング剤、可塑剤、凍結防止剤、ｐＨ調整剤、防腐剤、防黴剤、防藻剤、抗菌剤、分散剤、消泡剤、紫外線吸収剤、酸化防止剤等が使用可能である。
【００２５】
（化粧工法）
本発明に用いられる基材に対して、特に限定されないが、必要であれば、下地調整剤、シーラー、プライマー、サーフェーサー、フィラー等の下塗材を使用して下地処理を行うこともできる。
このような下塗材としては、公知のものを使用することができる。また、塗材を使用することもできる。
目地基材２が、透明・半透明のものを使用する場合、塗剤と共色に着色した下塗材を使用するなど色彩のバランスを考慮し適宜選択すれば、化粧面の目地がほとんど目立つことなく、さりげなく、自然な風合いをかもし出すことができ、美観性のある化粧面に仕上げることができる。
【００２６】
目地材を基材に貼り付ける工程においては、粘着剤、接着剤等で貼り付けたり、また、予め目地材の裏面に粘着層、接着層を設けて貼り付けることもできる。また目地材は、均等間隔に並べることもできるし、ランダムに貼り付けることもできる。さらに、本発明における目地材は、目地幅が細いので、折り曲げることも容易にでき、意図的に曲線をかもし出す目地に仕上げることもできる。
また、目地の十字部や両末端等の継目においては、目地幅が細いので、目地の継目が目立つことなく貼りつけることができ、違和感のない美観性に優れた化粧面に仕上げることができる。
さらに、予め、目地材の両末端に雄雌部を施しておけば、目地の継目に違和感がなく、美観性に優れた化粧面に仕上げることができる。
【００２７】
塗材を塗付する工程における、塗装方法としては、特に限定されないが、吹付け塗装、ローラー塗装、刷毛塗り、コテ塗り等が挙げられる。塗付厚と目地材の厚さは、目地材の目地芯材が剥離可能であれば、特に限定されず、適宜設定することができる。
【００２８】
目地芯材を剥す工程において、目地芯材を剥す時期は、使用する目地材や塗材、環境によって異なるが、目地芯材を剥すことができれば特に限定されないが、通常、塗材が乾燥する前に剥せばよい。
本発明では、目地材嵌合凹部が丸形であることから、目地幅が比較的細くても、目地芯材を取り外しやすく、作業性に優れている。
【００２９】
さらに、得られた化粧面上に、クリヤー塗料等の上塗材を塗付することも可能である。クリヤー塗料としては、特に限定されないが、例えば、アクリル樹脂系塗料、ウレタン樹脂系塗料、エポキシ樹脂系塗料、アクリルシリコン樹脂系塗料、フッ素樹脂系塗料、シリコン樹脂系塗料等が挙げられる。特に、アクリルシリコン樹脂系塗料、フッ素樹脂系塗料、シリコン樹脂系塗料は、耐侯性、耐汚染性に優れていることから好ましく用いられる。さらに、本発明の効果を阻害しないかぎり、着色することも可能である。
上塗材を塗付する方法としては、公知の方法で塗付することができ、例えば、吹き付け、ローラー、刷毛塗り等の各種の塗装方法で塗付することができる。
尚、本発明の化粧工法は、主として建築現場での施工に適用するものであるが、予め、工場において、各種パネル、ボード類の表面を本発明化粧工法で、仕上げておき、建築現場で化粧パネル、ボード類を組み立てて仕上げることもできる。
【００３０】
【実施例】
以下に実施例を示し、本発明の特徴をより明確にする。
【００３１】
（実施例１）
目地幅（Ａ）が１．２ｍｍ、目地基板部５の幅（Ｂ）が２．０ｍｍ、目地基材２の厚さ（Ｃ）が２．０ｍｍ、目地基板部の厚さ（Ｄ）が１．０ｍｍであり、直径１．２ｍｍの円形状の嵌合凹部４を有する黒色のポリ塩化ビニル製目地基材２に、直径１．２ｍｍの円形状のリード線を嵌め込み、目地材を作製した。
作製した目地材の目地基板部５の裏面に粘着剤を塗付し、壁面に対し格子状に貼り付けた後、図７に示すように、壁面に対し、塗材としてライムキャッスル（エスケー化研製：石灰石調塗材）をコテ塗りにて、膜厚が２ｍｍとなるように塗付した。その後、塗材が乾燥する前に、リード線を剥離し、石灰石調の壁面を得た。この時、目地幅が細いにもかかわらず簡単にリード線を剥離することができた。
得られた壁面は、図８に示すように、目地が目立たず、付き合わせ風の石灰石調の風合いをかもし出し、美観性のある壁面を得ることができた。
【００３２】
（実施例２）
目地幅（Ａ）が１．２ｍｍ、目地基板部５の幅（Ｂ）が２．０ｍｍ、目地基材２の厚さ（Ｃ）が２．０ｍｍ、目地基板部の厚さ（Ｄ）が１．０ｍｍであり、直径１．２ｍｍの円形状の嵌合凹部４を有する透明のポリ塩化ビニル製目地基材２に、直径１．２ｍｍの円形状のリード線を嵌め込み、作製した目地材を使用した以外は、実施例１と同様の方法で壁面を得た。この時、目地幅が細いにもかかわらず簡単にリード線を剥離することができた。
得られた壁面は、図９に示すように、目地がほとんど目立たず、付き合わせ風の石灰石調の風合いをかもし出し、美観性のある壁面を得ることができた。
【００３３】
（比較例１）
目地材として、目地幅が７ｍｍの既存の目地棒を使用し、目地棒の裏面に粘着剤を介し、壁面に対し格子状に貼り付けた後、アクリル系合成樹脂エマルション（固形分５０％）２００重量部、珪砂（平均粒子径５００μｍ）１００重量部、珪藻土（平均粒子径４０μｍｍ）２００重量部、炭酸カルシウム（平均粒子径４０μｍ）３００重量部を含む石灰石調塗材を壁面に対し、コテ塗りにて塗付した。その後、塗材が乾燥する前に、目地棒を剥離し、石灰石調の壁面を得た。
得られた壁面は図１０に示すように、本発明の目地材を使用した場合に比べて、目地が太く、目立ってしまった。
【００３４】
【発明の効果】
本発明の化粧工法によれば、目地の幅が細くても、簡便に取り外すことができ、天然石調、陶磁器タイル調、レンガ調等の風合いをかもし出す美観性のある化粧面を形成することができる。
【００３５】
【図面の簡単な説明】
【図１】本発明における目地材の断面図である。
【図２】本発明における目地材の斜視図である。
【図３】本発明における目地材を構成する目地基材２と目地芯材３とを分離した状態の斜視図である。
【図４】本発明における目地材の斜視図である。
【図５】本発明における目地材の斜視図である。
【図６】本発明における目地材の斜視図である。
【図７】塗材を塗付した後の断面図である。
【図８】実施例１で得られた壁面の正面図である。
【図９】実施例２で得られた壁面の正面図である。
【図１０】比較例１で得られた壁面の正面図である。
【符号の説明】
１：目地材
２：目地基材
３：目地芯材
４：嵌合凹部
５：目地基板部
６：目地凸部
７：基材
８：塗材
Ａ：目地幅
Ｂ：目地基板部の幅
Ｃ：目地基材の厚さ
Ｄ：目地基板部の厚さ
【図１】
0004224310.tif 000002
【図２】
0004224310.tif 000003
【図３】
0004224310.tif 000004
【図４】
0004224310.tif 000005
【図５】
0004224310.tif 000006
【図６】
0004224310.tif 000007
【図７】
0004224310.tif 000008
【図８】
0004224310.tif 000009
【図９】
0004224310.tif 000010
【図１０】
0004224310.tif 000011